(57)【特許請求の範囲】
【請求項１】
設定指示を受け付けるとともに、設定指示を受け付けるための複数の設定画面を表示する操作表示部と、
前記設定画面の表示切り換え指示を受け付ける操作部と、
前記操作表示部を制御し、前記操作部に対する表示切り換え指示に応じて予め定められた順番で前記複数の設定画面の表示を順次切り換え、前記設定画面を一部分の表示から全部分の表示に徐々に遷移させることで前記操作表示部にアニメーション表示させる表示制御部と、
前記設定画面を表示するためのデータを記憶する記憶部と、を備え、
現時点で表示中の設定画面の表示が全部分の表示に至る前に、前記現時点で表示中の設定画面からの強制的な表示切り換え指示を前記操作部が受け付けたとき、
前記記憶部は、全部分の表示に至らなかった設定画面を記憶し、
前記表示制御部は、前記複数の設定画面の全てを順次表示した後に、前記全部分の表示に至らなかった設定画面の情報を前記記憶部から取得し、前記全部分の表示に至らなかった設定画面での設定内容の確認を促すための情報を前記操作表示部に表示させることを特徴とする表示制御装置。
【請求項２】
前記表示制御部は、前記複数の設定画面の全てを順次表示した後に、前記全部分の表示に至らなかった設定画面での設定内容を前記操作表示部に表示させた上で、前記全部分の表示に至らなかった設定画面での設定内容の確認を促すための情報を前記操作表示部に表示させることを特徴とする請求項１に記載の表示制御装置。
【請求項３】
前記表示制御部は、前記複数の設定画面の全てを順次表示した後に、前記複数の設定画面のそれぞれにおける設定内容を前記操作表示部に羅列表示させ、前記全部分の表示に至らなかった設定画面での設定内容の表示形態を全部分の表示に至った他の設定画面での設定内容の表示形態とは異ならせることによって、前記全部分の表示に至らなかった設定画面での設定内容の確認を促すことを特徴とする請求項１または２に記載の表示制御装置。
【請求項４】
前記表示制御部は、前記全部分の表示に至らなかった設定画面での設定内容の表示色を全部分の表示に至った他の設定画面での設定内容の表示色とは異ならせることを特徴とする請求項３に記載の表示制御装置。
【請求項５】
前記操作表示部は、複数の設定項目の登録をユーザーから受け付け、
前記記憶部は、前記操作表示部が受け付けた前記複数の設定項目を記憶し、
前記表示制御部は、前記記憶部に記憶された前記複数の設定項目にそれぞれ対応する複数の設定画面を前記操作表示部に順次切り換えて表示させることを特徴とする請求項１〜４のいずれかに記載の表示制御装置。
【請求項６】
請求項１〜５のいずれかに記載の表示制御装置を備えていることを特徴とする画像形成装置。
【発明の詳細な説明】
【技術分野】
【０００１】
本発明は、表示制御装置および画像形成装置に関する。
【背景技術】
【０００２】
従来、表示制御装置としての操作パネルを備えた画像形成装置が知られている（たとえば、特許文献１参照）。特許文献１の画像形成装置は複写機であり、コピーの実行に際しての設定指示を操作パネルが受け付けるようになっている。なお、特許文献１には、コピーの実行に際して設定可能な設定項目として、用紙サイズ、倍率および濃度などが挙げられている。
【０００３】
ところで、操作パネルを備えた画像形成装置においては、コピーなどの各種ジョブの実行に際しての設定指示をウィザード形式で行うことができるものもある。たとえば、コピーを例にとると、用紙サイズ→倍率→濃度の順で各設定項目に対応した設定画面が操作パネルに表示され、その操作パネルに順次表示された各設定画面に対して順番に設定値の設定操作を行うようになっている。
【先行技術文献】
【特許文献】
【０００４】
【特許文献１】特開２００６−１１９１７６号公報
【発明の概要】
【発明が解決しようとする課題】
【０００５】
上記のように、各種ジョブの実行に際しての設定指示をウィザード形式で行ってもらう形態をとった場合、設定を急ぐあまり、現時点で表示されている設定画面を確認せずに次の設定画面に移行させてしまう恐れがある。この場合、確認しなかった設定画面で既に設定されているデフォルトの設定内容がユーザーの所望する設定内容と合致していれば問題はないが、合致しないことも多々ある。その結果、ユーザーの所望する設定内容とは異なる設定内容でジョブが開始されてしまうという不都合が生じ易い。
【０００６】
本発明は、上記課題を解決するためになされたものであり、ユーザーの意図しない設定内容でジョブが開始されるのを抑制することが可能な表示制御装置および画像形成装置を提供することを目的とする。
【課題を解決するための手段】
【０００７】
上記目的を達成するために、本発明の表示制御装置は、設定指示を受け付けるとともに、設定指示を受け付けるための複数の設定画面を表示する操作表示部と、設定画面の表示切り換え指示を受け付ける操作部と、操作表示部を制御し、操作部に対する表示切り換え指示に応じて予め定められた順番で複数の設定画面の表示を順次切り換え、設定画面を一部分の表示から全部分の表示に徐々に遷移させることで操作表示部にアニメーション表示させる表示制御部と、設定画面を表示するためのデータを記憶する記憶部と、を備えている。そして、現時点で表示中の設定画面の表示が全部分の表示に至る前に、現時点で表示中の設定画面からの強制的な表示切り換え指示を操作部が受け付けたとき、記憶部は、全部分の表示に至らなかった設定画面を記憶し、表示制御部は、複数の設定画面の全てを順次表示した後に、全部分の表示に至らなかった設定画面の情報を記憶部から取得し、全部分の表示に至らなかった設定画面での設定内容の確認を促すための情報を操作表示部に表示させる。
【０００８】
本発明の構成によると、現時点で表示中の設定画面の表示が全部分の表示に至る前に、現時点で表示中の設定画面からの強制的な表示切り換え指示を操作部が受け付けたとき、記憶部は、全部分の表示に至らなかった設定画面を記憶し、表示制御部は、複数の設定画面の全てを順次表示した後に、全部分の表示に至らなかった設定画面の情報を記憶部から取得し、全部分の表示に至らなかった設定画面での設定内容の確認を促すための情報を操作表示部に表示させる。これにより、全部分の表示に至らなかった設定画面が存在したとしても、確実に、複数の設定画面の全てを順次表示した後に（コピーなどのジョブの開始に先立って）、全部分の表示に至らなかった設定画面での設定内容をユーザーに確認させることができる。このため、ユーザーの意図しない設定内容でジョブが開始されるのを抑制することが可能となる。
【０００９】
上記した構成において、好ましくは、表示制御部は、複数の設定画面の全てを順次表示した後に、全部分の表示に至らなかった設定画面での設定内容を操作表示部に表示させた上で、全部分の表示に至らなかった設定画面での設定内容の確認を促すための情報を操作表示部に表示させる。このように構成すれば、容易に、全部分の表示に至らなかった設定画面での設定内容をユーザーに確認させることができる。
【００１０】
上記した構成において、好ましくは、表示制御部は、複数の設定画面の全てを順次表示した後に、複数の設定画面のそれぞれにおける設定内容を操作表示部に羅列表示させ、全部分の表示に至らなかった設定画面での設定内容の表示形態を全部分の表示に至った他の設定画面での設定内容の表示形態とは異ならせることによって、全部分の表示に至らなかった設定画面での設定内容の確認を促す。このように構成すれば、全部分の表示に至らなかった設定画面での設定内容の確認をユーザーに確実に促すことができ、加えて、全部分の表示に至った他の設定画面での設定内容についてもユーザーに再確認させることができる。
【００１１】
この構成において、より好ましくは、表示制御部は、全部分の表示に至らなかった設定画面での設定内容の表示色を全部分の表示に至った他の設定画面での設定内容の表示色とは異ならせる。このように構成すれば、容易に、全部分の表示に至らなかった設定画面での設定内容の表示形態を全部分の表示に至った他の設定画面での設定内容の表示形態とは異ならせることができる。
【００１２】
上記した構成において、好ましくは、操作表示部は、複数の設定項目の登録をユーザーから受け付け、記憶部は、操作表示部が受け付けた複数の設定項目を記憶し、表示制御部は、記憶部に記憶された複数の設定項目にそれぞれ対応する複数の設定画面を操作表示部に順次切り換えて表示させる。このように構成すれば、ユーザーの所望する設定項目に応じた設定画面のみを操作表示部に表示させることができるので、ユーザーの利便性が向上する。
【００１３】
また、本発明の画像形成装置は、上記した表示制御装置を備えている。このように構成すれば、ユーザーの意図しない設定内容でジョブが開始されるのを抑制することが可能となる。
【発明の効果】
【００１４】
以上のように、本発明によれば、ユーザーの意図しない設定内容でジョブが開始されるのを抑制することが可能な表示制御装置および画像形成装置を得ることができる。
【図面の簡単な説明】
【００１５】
【図１】本発明の一実施形態による表示制御装置を備えた画像形成装置の概略図
【図２】本発明の一実施形態による表示制御装置の平面図
【図３】図１に示した画像形成装置の画像形成部を示した概略図
【図４】図１に示した画像形成装置のハードウェア構成を示したブロック図
【図５】図２に示した表示制御装置に表示される画面の一例を示した図（設定画面をウィザード形式で表示するときの図）
【図６】図２に示した表示制御装置に表示される画面の一例を示した図（設定画面の表示が部分的な表示から全体的な表示に遷移するときの図）
【図７】図２に示した表示制御装置の動作（現時点で表示中の設定画面から次画面への表示切り換えが強制的に行われたときの動作）を説明するためのフローチャート
【図８】図２に示した表示制御装置の動作（現時点で表示中の設定画面から次画面への表示切り換えが強制的に行われたときの動作）を説明するためのフローチャート
【図９】図２に示した表示制御装置に表示される画面の一例を示した図（全体的な表示に至っていない設定画面での設定内容の確認を促すための情報を確認画面に含ませたときの図）
【発明を実施するための形態】
【００１６】
以下に、図１を参照して、本発明の一実施形態による画像形成装置１００について説明する。
【００１７】
本実施形態の画像形成装置１００は、たとえば、タンデム方式のカラー複合機であり、コピー、プリント、スキャナおよびファックスなどの複数のジョブを実行することができる。そして、これら複数のジョブを実行するため、画像形成装置１００は、操作パネル１０１、画像読取部１０２およびエンジン部（給紙部１０３、搬送路１０４、画像形成部１０５、中間転写部１０６、定着部１０７および両面搬送路１０８）などを備える。
【００１８】
操作パネル１０１は、表示制御装置として機能し、たとえば、図１中の破線で示された箇所に配置される。この操作パネル１０１には、図２に示すように、液晶表示部１１（操作表示部に相当）が設けられている。液晶表示部１１には、各種設定などを行うためのメニューおよびキーが表示されるとともに、装置状態などを示すメッセージも表示される。そして、ユーザーは、液晶表示部１１に表示されたキーを押下することで、各種設定などを行うことができる。なお、液晶表示部１１は、その表示面がタッチパネルで覆われた形態をとる。これにより、液晶表示部１１に表示されたキーがユーザーによって押下されたとき（タッチパネルが押下されたとき）、タッチパネルの出力に基づいて押下位置の座標を検出できるようになっている。
【００１９】
また、操作パネル１０１には、テンキー１２やスタートキー１３などのハードキーが設けられている。テンキー１２は、数値入力が必要な設定指示をユーザーから受け付けるためのハードキーである。スタートキー１３は、各種ジョブの実行開始の指示をユーザーから受け付けるためのハードキーである。
【００２０】
さらに、操作パネル１０１には、コピーキー１４、送信キー１５およびボックスキー１６などのハードキーも設けられている。そして、コピーキー１４がユーザーによって押下されると、コピーを利用する上で必要なキーやメッセージなどが液晶表示部１１に表示される。送信キー１５がユーザーによって押下されると、スキャナおよびファックスを利用する上で必要なキーやメッセージなどが液晶表示部１１に表示される。ボックスキー１６がユーザーによって押下されると、ボックスを利用する上で必要なキーやメッセージなどが液晶表示部１１に表示される。なお、ボックスというのは、ボックスと呼ばれる所定の保存領域（たとえば、後述する記憶部１１３に設けられたフォルダ）に画像データなどを保存しておくジョブである。
【００２１】
また、操作パネル１０１には、ワークフローキー１７やエンターキー１８（操作部に相当）などのハードキーも設けられている。なお、ワークフローキー１７やエンターキー１８の機能については、後で詳細に説明する。
【００２２】
図１に戻って、画像読取部１０２は、原稿を読み取り、原稿の画像データを形成する。画像読取部１０２には、図示しないが、露光ランプ、ミラー、レンズおよびイメージセンサーなどの光学系部材が設けられている。この画像読取部１０２は、コンタクトガラス２１に載置される原稿にビームを照射し、その原稿の反射ビームを受けたイメージセンサーの各画素の出力値をＡ／Ｄ変換することにより、画像データを生成する。これにより、画像読取部１０２による原稿の読み取り動作によって得られた画像データに基づき印刷を行うことができる（コピー）。また、画像読取部１０２による原稿の読み取り動作によって得られた画像データを蓄積することもできる（スキャナ）。なお、画像読取部１０２による原稿の読み取り時には、コンタクトガラス２１に載置された原稿を原稿カバー２２で押えるようになっている。
【００２３】
給紙部１０３は、記録媒体としての用紙Ｐを収容するカセット３１を複数有し、それら複数のカセット３１に収容された用紙Ｐを搬送路１０４に供給する。また、この給紙部１０３には、収容された用紙Ｐを引き出すピックアップローラー３２や、用紙Ｐの重送を抑制するための分離ローラー対３３などが設けられている。
【００２４】
搬送路１０４は、装置内部において用紙Ｐを搬送するものである。具体的に言うと、給紙部１０３から供給された用紙Ｐは、搬送路１０４によって、中間転写部１０６および定着部１０７をこの順番で通過して排出トレイ１０９に導かれる。この搬送路１０４には、用紙Ｐを中間転写部１０６の手前で待機させ、タイミングを合わせて中間転写部１０６に送り出すレジストローラー対４１などが設けられている。
【００２５】
画像形成部１０５は、画像データに基づいてトナー像を形成するものであって、４色分の画像形成部５０（ブラックのトナー像を形成する画像形成部５０Ｂｋ、イエローのトナー像を形成する画像形成部５０Ｙ、シアンのトナー像を形成する画像形成部５０Ｃ、および、マゼンダのトナー像を形成する画像形成部５０Ｍ）と、露光装置５とを備えている。なお、画像形成部５０Ｂｋ、５０Ｙ、５０Ｃおよび５０Ｍは、互いに異なる色のトナー像を形成するが、いずれも基本的に同様の構成である。したがって、以下の説明では、各色を表す符号（Ｂｋ、Ｙ、ＣおよびＭ）を省略する。
【００２６】
各画像形成部５０のそれぞれは、図３に示すように、感光体ドラム１、帯電装置２、現像装置３および清掃装置４を含んでいる。
【００２７】
各感光体ドラム１は、外周面にトナー像を担持するものであって、外周面に感光層を有するとともに、周方向に回転可能に支持されている。各帯電装置２は、対応する感光体ドラム１を一定の電位で帯電させる。各現像装置３は、対応する色の現像剤を収容し、対応する感光体ドラム１にトナーを供給する。各清掃装置４は、対応する感光体ドラム１の清掃を行う。そして、各感光体ドラム１の外周面は、露光装置５によって露光される。これにより、各感光体ドラム１の外周面に静電潜像が形成される。
【００２８】
露光装置５は、図示しないが、半導体レーザー素子、ポリゴンミラー、ポリゴンモーター、Ｆθレンズおよび反射ミラーなどを含む。なお、これら露光装置５の構成部材は、各色の画像形成部５０に対して１セットずつ設けられていてもよい。あるいは、半導体レーザー素子、Ｆθレンズおよび反射ミラーのみを各色の画像形成部５０に対して１セットずつ設け、ポリゴンミラーおよびポリゴンモーターについては２色分（または、４色分）の画像形成部５０で共用してもよい。
【００２９】
図１に戻って、中間転写部１０６は、画像形成部１０５からトナー像の１次転写を受けた後、用紙Ｐに２次転写を行う。中間転写部１０６は、中間転写ベルト６１と、各画像形成部５０にそれぞれ割り当てられた１次転写ローラー６２Ｂｋ、６２Ｙ、６２Ｃおよび６２Ｍとを少なくとも含んでいる。１次転写ローラー６２Ｂｋ、６２Ｙ、６２Ｃおよび６２Ｍは、対応する画像形成部５０（具体的には、感光体ドラム１）との間で中間転写ベルト６１を挟み込んでいるとともに、転写用電圧（転写バイアス）が印加されるようになっている。
【００３０】
また、中間転写部１０６は、駆動ローラー６３および従動ローラー６４も含んでいる。そして、駆動ローラー６３および従動ローラー６４は、１次転写ローラー６２Ｂｋ、６２Ｙ、６２Ｃおよび６２Ｍと共に、中間転写ベルト６１を張架している。このため、駆動ローラー６３が回転駆動すると、中間転写ベルト６１が循環移動する。
【００３１】
さらに、中間転写部１０６は、２次転写ローラー６５も含んでいる。この２次転写ローラー６５は、駆動ローラー６３との間で中間転写ベルト６１を挟み込んでいるとともに、転写用電圧（転写バイアス）が印加されるようになっている。
【００３２】
そして、各画像形成部５０で形成されたトナー像は、転写用電圧が印加された１次転写ローラー６２Ｂｋ、６２Ｙ、６２Ｃおよび６２Ｍにより、順次、ずれなく重畳して中間転写ベルト６１に１次転写される。すなわち、中間転写ベルト６１にフルカラートナー像が転写される。その後、中間転写ベルト６１に１次転写されたトナー像は、転写用電圧が印加された２次転写ローラー６５により、用紙Ｐに２次転写される。
【００３３】
また、中間転写部１０６は、ベルト清掃装置６６も含んでいる。そして、このベルト清掃装置６６によって、中間転写ベルト６１から用紙Ｐへのトナー像の２次転写の後、中間転写ベルト６１の清掃が行われる。
【００３４】
定着部１０７は、用紙Ｐに２次転写されたトナー像を加熱・加圧して定着させるものである。この定着部１０７は、発熱源を内蔵する定着ローラー７１と、定着ローラー７１に圧接される加圧ローラー７２とを含んでいる。そして、トナー像が２次転写された用紙Ｐは、定着ローラー７１と加圧ローラー７２との間を通過することで、加熱・加圧される。これにより、用紙Ｐにトナー像が定着される。
【００３５】
そして、用紙Ｐは、定着部１０７を通過した後、排出トレイ１０９に排出される。これによって、画像形成処理が完了する。
【００３６】
また、両面搬送路１０８は、両面印刷を可能とするものである。この両面搬送路１０８は、定着ローラー７１および加圧ローラー７２の下流側おいて搬送路１０４と分岐し、レジストローラー対４１の上流側において搬送路１０４と合流している。そして、両面搬送路１０８には、搬送路１０４との分岐点に配置された切替爪８１、排出トレイ１０９に繋がる排出口１０９ａに配置されているとともに正逆回転の切り換えが可能な排出ローラー対８２、および、用紙Ｐを搬送する搬送ローラー対８３などが設けられている。
【００３７】
両面印刷を行う場合、切替爪８１は、両面搬送路１０８を閉じるポジションとなり、定着部１０７から送られた用紙Ｐを排出トレイ１０９に導く。また、排出ローラー対８２は、ひとまず正回転して用紙Ｐを排出トレイ１０９に排出する。この後、排出ローラー対８２は、用紙Ｐが排出ローラー対８２を通過しきる前に逆回転する。このとき、切替爪８１は、両面搬送路１０８を開く方向に回動する。これにより、片面印刷された用紙Ｐは、両面搬送路１０８に導かれる。
【００３８】
両面搬送路１０８に導かれた用紙Ｐは、搬送ローラー対８３により搬送され、レジストローラー対４１の上流側に至る。そして、再び、中間転写部１０６から定着部１０７へと送られる。このときには、用紙Ｐの表裏が逆転しているので、用紙Ｐの裏面（未印刷面）に対して、２次転写処理および定着処理がなされる。そして、両面印刷が終わった用紙Ｐは、排出トレイ１０９に排出される。
【００３９】
次に、図４を参照して、画像形成装置１００のハードウェア構成について説明する。
【００４０】
画像形成装置１００は、主制御部１１０を有する。この主制御部１１０は、中央演算処理装置であるＣＰＵ１１１や画像処理部１１２などを含む。また、主制御部１１０は、操作パネル１０１、画像読取部１０２およびエンジン部（給紙部１０３、搬送路１０４、画像形成部１０５、中間転写部１０６、定着部１０７および両面搬送路１０８）などと接続されている。そして、主制御部１１０は、記憶部１１３に記憶された各種のプログラムおよびデータに基づき、各部の制御や演算などを行う。なお、主制御部１１０は、全体制御や画像処理を行うメイン制御部と、画像形成や各種回転体を回転させるモーターのオン／オフを制御するエンジン制御部とに分割されていてもよい。
【００４１】
記憶部１１３は、ＲＯＭ１１３ａ、ＲＡＭ１１３ｂおよびＨＤＤ１１３ｃなどの揮発性の記憶装置と不揮発性の記憶装置とを含む。そして、記憶部１１３に記憶された各種のプログラムおよびデータは、ＲＯＭ１１３ａに記憶され、ＲＡＭ１１３ｂに展開される。
【００４２】
記憶部１１３に記憶されるプログラムとしては、複数のジョブをそれぞれ実行するための複数のアプリケーションプログラムであり、たとえば、コピーを実行するためのコピーアプリ、プリントを実行するためのプリントアプリ、スキャナを実行するためのスキャナアプリ、ファックスを実行するためのファックスアプリ、および、ボックスを実行するためのボックスアプリなどが挙げられる。なお、これら基本的なジョブに対応したアプリ以外の種々のアプリなどが記憶されていてもよい。
【００４３】
また、主制御部１１０は、通信部１１４と接続される。通信部１１４は、たとえば、外部のコンピューター２００とネットワーク（あるいは、ケーブル）を介して通信可能に接続される。これにより、コンピューター２００から送信された画像データに基づき印刷を行うことができる（プリント）。さらに、画像読取部１０２による原稿の読み取り動作によって得られた画像データをコンピューター２００に送信することもできる（スキャナ）。さらに、たとえば、通信部１１４にモデムなどを内蔵してもよく、この場合、電話回線などのネットワークを介して、外部のファックス装置３００とファックス通信を行うことができる（ファックス）。
【００４４】
主制御部１１０に接続される操作パネル１０１は、表示制御部１９を有する。この表示制御部１９は、ＣＰＵやＩＣなどからなり、液晶表示部１１の表示を制御する。また、表示制御部１９は、液晶表示部１１（タッチパネル）に表示されたキーがユーザーによって押下されると、タッチパネルの出力を受けて押下位置の座標を特定する。これにより、液晶表示部１１に対してユーザーが押下した位置（選択したキー）が特定される。なお、タッチパネルの出力と押下位置の座標との対応を示すテーブルなどのデータは、たとえば、記憶部２０に記憶される。
【００４５】
また、操作パネル１０１は、各種ジョブの実行に際しての設定指示をユーザーから受け付けるようになっている。具体的には、コピーを例にとると、ユーザーがコピーキー１４を押下することにより、コピーの実行に際しての設定指示を受け付けるための設定画面（ソフトキーとしての設定キーやメッセージなど）が液晶表示部１１に表示される。これにより、ユーザーは、設定画面を見ながら、操作パネル１０１に対して、コピーの実行に際しての設定指示を行う（液晶表示部１１に表示されたソフトキーとしての設定キーやハードキーとしてのテンキー１２を押下することで設定を行う）ことができる。
【００４６】
なお、たとえば、設定画面を液晶表示部１１に表示するためのデータは、記憶部２０に記憶される。そして、表示制御部１９は、ユーザーが操作パネル１０１に対して入力操作を行う度に、液晶表示部１１に表示すべき設定画面に応じたデータを記憶部２０から読み出し、液晶表示部１１に適切な設定画面を表示させる。
【００４７】
ところで、各種ジョブの実行に際しての設定項目は多数ある。たとえば、コピーの実行に際して設定可能な設定項目としては、用紙選択、縮小／拡大、濃度、両面／分割、ページ集約、ソート／仕分け、原稿サイズ、原稿セット向き、原稿サイズ混載、排紙先、ステープル、カラー選択、原稿画質、エコプリント、色相調整、カラーバランス、シャープネス、地色調整、うら写り防止、彩度、とじしろ、連続読み込み、自動画像回転、ジョブ終了通知、文書名入力、優先印刷、および、割り込みコピーなどである。なお、コピー以外の他のジョブについても、実行に際して設定可能な設定項目は多数ある。
【００４８】
このように、各種ジョブの実行に際しての設定項目は多数あるが、それら多数の設定項目のうち、頻繁に設定変更する設定項目はユーザーによって異なる。たとえば、コピーを例にとると、通常のコピーを多用するユーザーにおいては、用紙選択、縮小／拡大、および、濃度などの基本的な設定項目が頻繁に設定変更されると考えられる。また、用紙の消費抑制を所望するユーザーにおいては、基本的な設定項目に加えて、両面／分割、および、ページ集約などの設定項目が頻繁に設定変更されると考えられる。しかし、頻繁に設定変更する設定項目が多岐にわたる場合、ユーザーからすると、設定作業が煩雑になり、利便性が悪い。
【００４９】
したがって、この画像形成装置１００では、液晶表示部１１は、複数の設定項目の登録をユーザーから受け付け、記憶部２０（または、記憶部１１３）は、液晶表示部１１が受け付けた複数の設定項目をワークフローとして記憶し、表示制御部１９は、記憶部２０に記憶された複数の設定項目にそれぞれ対応する複数の設定画面のみをウィザード形式で液晶表示部１１に順次切り換えて表示する。
【００５０】
具体的には、ワークフローキー１７をユーザーが押下すると、表示制御部１９は、予め記憶部２０に記憶されたワークフローの登録名を液晶表示部１１に表示させる。この際、予め記憶部２０に記憶されたワークフローが複数であれば、表示制御部１９は、複数のワークフローにそれぞれ対応する複数の登録名を液晶表示部１１に表示させる。そして、液晶表示部１１に表示された登録名をユーザーが押下（選択）すると、表示制御部１９は、押下された登録名に対応するワークフローを記憶部２０から読み出し、液晶表示部１１に表示させる。このとき、選択されたワークフローで設定可能な設定項目が複数あれば、表示制御部１９は、複数の設定画面を順次切り換えて液晶表示部１１に表示させる。
【００５１】
ここで、たとえば、コピーに関するワークフローがユーザーによって選択され、その選択されたワークフローでは、用紙選択、縮小／拡大、および、濃度が設定可能になっているとする。さらに、用紙選択→縮小／拡大→濃度の順でユーザーからの設定指示を受け付けるようになっているとする。
【００５２】
この場合には、図５に示すように、まず、用紙選択に関する設定画面Ａ１が液晶表示部１１に表示される。設定画面Ａ１において、たとえば、ユーザーが「カセット１」というソフトキーＫ１を押下すると、そのソフトキーＫ１が白黒反転され、「カセット１」に対応するカセット３１に収容された用紙Ｐ（Ａ４の普通紙）が出力用紙となるように設定される。
【００５３】
設定画面Ａ１においてユーザーが「次へ」というソフトキーＫ２を押下すると、縮小／拡大に関する設定画面Ａ２が液晶表示部１１に表示される。設定画面Ａ２において、たとえば、ユーザーが「自動」というソフトキーＫ３を押下すると、そのソフトキーＫ３が白黒反転され、印刷倍率が自動となるように設定される。
【００５４】
設定画面Ａ２においてユーザーが「次へ」というソフトキーＫ４を押下すると、濃度に関する設定画面Ａ３が液晶表示部１１に表示される。設定画面Ａ３において、たとえば、ユーザーが「０」というソフトキーＫ５を押下すると、そのソフトキーＫ５が白黒反転され、印刷濃度がふつうとなるように設定される。
【００５５】
設定画面Ａ３においてユーザーが「次へ」というソフトキーＫ６を押下すると、確認画面Ｂが液晶表示部１１に表示される。この確認画面Ｂは、各設定画面Ａでの設定内容を羅列表示したものである。そして、ユーザーが「スタート」というソフトキーＫ７を押下すると、確認画面Ｂに表示された設定内容に基づきコピーが実行される。あるいは、「スタート」というソフトキーＫ７ではなく、ハードキーとしてのスタートキー１３をユーザーが押下した場合にも、確認画面Ｂに表示された設定内容に基づきコピーが実行される。
【００５６】
なお、ワークフローの作成時には、通常、各設定画面Ａで設定可能な設定項目を予め設定済みにした上で登録しておく。たとえば、縮小／拡大に関する設定画面Ａ２において、印刷倍率が自動となるように予め設定されていたとする。この場合には、設定画面Ａ１から設定画面Ａ２に移行したとき、設定画面Ａ２の「自動」というソフトキーＫ３が既に白黒反転された状態（印刷倍率が自動となるように既に設定された状態）となっている。そして、ユーザーは、設定画面Ａ１から設定画面Ａ２に移行したとき、「自動」のままでよければ、そそまま「次へ」というソフトキーＫ４を押下する一方、設定値を変更したければ、設定値を変更した上で「次へ」というソフトキーＫ４を押下する。
【００５７】
ところで、本実施形態では、装置の商品価値を高めるため、各設定画面Ａを液晶表示部１１に表示させる際に、アニメーション表示を行っている。具体的には、縮小／拡大に関する設定画面Ａ２を例にとって説明すると、図６に示すように、表示制御部１９は、設定画面Ａ２を液晶表示部１１に表示させる際に、設定画面Ａ２を一部分の表示から全部分の表示に徐々に遷移させるような表示制御を行っている。このようなアニメーション表示を行う場合、たとえば、数秒から数十秒の時間をかけて、設定画面Ａの一部分の表示を開始してから全部分の表示を完了させる。したがって、アニメーション表示を行うと、設定画面Ａは瞬時に全部分の表示には至らない。
【００５８】
このように、各設定画面Ａの液晶表示部１１への表示をアニメーション表示で行った場合、装置の商品価値は高まるが、設定値の設定を速やかに終わらせてジョブを開始したいと考えるユーザーにとっては、各設定画面Ａの表示が全部分の表示に至るまでにかかる時間は無駄である。したがって、本実施形態では、設定値の設定を速やかに終わらせてジョブを開始したいと考えるユーザーの利便性を考慮し、現時点で表示中の設定画面Ａの表示が全部分の表示に至る前であったとしても、ハードキーとしてのエンターキー１８をユーザーが押下すれば、現時点で表示中の設定画面Ａから次画面（次の設定画面Ａまたは確認画面Ｂ）への表示切り換えを強制的に行えるようになっている。すなわち、エンターキー１８は、現時点で表示中の設定画面Ａから次画面（次の設定画面Ａまたは確認画面Ｂ）への強制的な表示切り換え指示を受け付ける機能を有する。
【００５９】
ただし、現時点で表示中の設定画面Ａから次画面（次の設定画面Ａまたは確認画面Ｂ）への強制的な表示切り換え指示をユーザーがエンターキー１８を通じて行ったとき、現時点で表示中の設定画面Ａの表示が全部分の表示に至る前であったとすれば、ユーザーは、全部分の表示に至らなかった設定画面Ａでの設定内容を確認していないことになる。したがって、全部分の表示に至らなかった設定画面Ａで設定されている設定内容がデフォルトの設定内容のままで、ユーザーがジョブを開始してしまう場合がある。この場合、デフォルトの設定内容がユーザーの所望する設定内容と合致していれば問題はないが、デフォルトの設定内容がユーザーの所望する設定内容と異なっていることもある。すなわち、ユーザーの所望する設定内容とは異なる設定内容でジョブが開始される恐れがある。
【００６０】
そこで、本実施形態では、全部分の表示に至らなかった設定画面Ａが存在する場合、ユーザーがジョブを開始するのに先立って、全部分の表示に至らなかった設定画面Ａでの設定内容の確認をユーザーに促すための喚起情報を液晶表示部１１に表示させることによって、ユーザーの意図しない設定内容でジョブが開始されるのを抑制するようにしている。以下に、図７および図８を参照して、現時点で表示中の設定画面Ａから次画面（次の設定画面Ａまたは確認画面Ｂ）への表示切り換えが強制的に行われたときの動作について説明する。
【００６１】
まず、図７のスタート時点では、或るジョブの実行に際して、ユーザーがワークフローを用いて設定値の設定操作を行っているとする。そして、ワークフローを用いた設定値の設定中に、ユーザーによってエンターキー１８が押下され、それによって、現時点で表示中の設定画面Ａから次画面（次の設定画面Ａまたは確認画面Ｂ）への強制的な表示切り換えが行われたとき、図７のフローがスタートする。
【００６２】
ステップＳ１において、表示制御部１９は、現時点で表示中の設定画面Ａから次画面（次の設定画面Ａまたは確認画面Ｂ）への強制的な表示切り換えが行われたとき、現時点で表示中の設定画面Ａの表示が全部分の表示に至らなかったか否かを判断する。すなわち、表示制御部１１は、現時点で表示中の設定画面Ａのアニメーション表示が完了していなかったか否かを判断する。
【００６３】
図５に示したワークフローを例にとって具体的に説明すると、設定画面Ａ１から設定画面Ａ２への強制的な表示切り換えが行われたときには、設定画面Ａ１の表示が全部分の表示に至ったか否かが判断される。また、設定画面Ａ２から設定画面Ａ３への強制的な表示切り換えが行われたときには、設定画面Ａ２の表示が全部分の表示に至ったか否かが判断される。また、設定画面Ａ３から確認画面Ｂへの強制的な表示切り換えが行われたときには、設定画面Ａ３の表示が全部分の表示に至ったか否かが判断される。そして、現時点で表示中の設定画面Ａの表示が全部分の表示に至らなかった場合には、ステップＳ２に移行する。言い換えると、現時点で表示中の設定画面Ａの表示が全部分の表示に至る前に、現時点で表示中の設定画面Ａからの強制的な表示切り換え指示をエンターキー１８が受け付けたとき、ステップＳ２に移行する。
【００６４】
ステップＳ２に移行すると、表示制御部１９は、全部分の表示に至らなかった設定画面Ａを記憶部２０に記憶させる。
【００６５】
一方で、ステップＳ１において、現時点で表示中の設定画面Ａの表示が全部分の表示に至っていた場合には、ステップＳ２の動作は行われない。
【００６６】
なお、図７のフローは、現時点で表示中の設定画面Ａから次画面（次の設定画面Ａまたは確認画面Ｂ）への強制的な表示切り換えが行われる度に繰り返しスタートする。
【００６７】
そして、複数の設定画面Ａの全てを順次表示した後、最後の設定画面Ａから確認画面Ｂへの表示切り換えが行われるとき、図８のフローがスタートする。
【００６８】
ステップＳ１１において、表示制御部１９は、記憶部２０に記憶された設定画面Ａの情報に基づき、全部分の表示に至らなかった設定画面Ａが存在するか否かを判断する。そして、全部分の表示に至らなかった設定画面Ａが存在する場合には、ステップＳ１２に移行する。なお、全部分の表示に至らなかった設定画面Ａが存在しない場合には、ステップＳ１６に移行する。
【００６９】
ステップＳ１２において、表示制御部１９は、全部分の表示に至らなかった設定画面Ａの情報を記憶部２０から取得する。引き続き、ステップＳ１３において、表示制御部１９は、全部分の表示に至らなかった設定画面Ａでの設定内容の確認をユーザーに促すための喚起情報を液晶表示部１１に表示させる。たとえば、表示制御部１９は、全部分の表示に至らなかった設定画面Ａでの設定内容を液晶表示部１１に表示させ、その上で、喚起情報を液晶表示部１１に表示させる。
【００７０】
ここで、通常であれば、液晶表示部１１に表示される確認画面Ｂは、図５に示したように、複数の設定画面Ａのそれぞれにおける設定内容を単に羅列しただけである。一方で、本実施形態では、全部分の表示に至らなかった設定画面Ａでの設定内容の確認をユーザーに促すため、全部分の表示に至らなかった設定画面Ａでの設定内容の表示形態を全部分の表示に至った他の設定画面Ａでの設定内容の表示形態とは異ならせている。
【００７１】
具体的には、図５に示したワークフローにおいて、縮小／拡大に関する設定画面Ａ２が全部分の表示に至らなかったとする。この場合、図９に示すように、表示制御部１９は、確認画面Ｂにおいて、縮小／拡大に関する設定画面Ａ２での設定内容の表示形態を、用紙選択に関する設定画面Ａ１および濃度に関する設定画面Ａ３のそれぞれにおける設定内容の表示形態とは異ならせる。一例として、縮小／拡大に関する設定画面Ａ２での設定内容のみを白黒反転させる（すなわち、縮小／拡大に関する設定画面Ａ２での設定内容の表示色を異ならせる）。これにより、縮小／拡大に関する設定画面Ａ２での設定内容の確認をユーザーに促すことができる。
【００７２】
なお、図９に示した表示形態は一例であり、図９に示した表示形態に限定されない。たとえば、全部分の表示に至らなかった設定画面Ａでの設定内容のみをカラー表示（たとえば、目立ち易い赤表示）にしてもよいし、太字にしてもよい。あるいは、全部分の表示に至らなかった設定画面Ａでの設定内容の確認を促すメッセージ（たとえば、「設定内容を確認してください」といったメッセージ）を表示してもよい。さらには、全部分の表示に至らなかった設定画面Ａでの設定内容に記号（たとえば、「？」といった記号）を付与してもよい。
【００７３】
ステップＳ１３からステップＳ１４に移行すると、表示制御部１９は、全部分の表示に至らなかった設定画面Ａに関して設定値の設定変更があったか否かを判断する。たとえば、図９に示した喚起情報を含む確認画面Ｂにおいて、白黒反転された「縮小／拡大」というソフトキーＫ８をユーザーが押下すると、図５に示した縮小／拡大に関する設定画面Ａ２が液晶表示部１１に再表示される。これにより、ユーザーは、縮小／拡大に関する設定値の設定変更を行うことができる。そして、このように、全部分の表示に至らなかった設定画面Ａに関して設定値の設定変更があれば、ステップＳ１５に移行する。
【００７４】
ステップＳ１５において、表示制御部１９は、喚起情報（全部分の表示に至らなかった設定画面Ａでの設定内容の確認をユーザーに促すための情報）の液晶表示部１１への表示を停止する。たとえば、表示制御部１９は、図９に示した喚起情報を含む確認画面Ｂを液晶表示部１１に表示した後、縮小／拡大に関する設定値をユーザーが設定変更すれば、図５に示した喚起情報を含まない確認画面Ｂ、すなわち、「縮小／拡大」というソフトキーＫ８が白黒反転されていない確認画面Ｂを液晶表示部１１に表示する。この後、ステップＳ１６に移行する。
【００７５】
一方で、全部分の表示に至らなかった設定画面Ａが存在したとしても、設定画面Ａで設定されているデフォルトの設定内容がユーザーの所望する設定内容と合致している場合がある。この場合、ユーザーは、全部分の表示に至らなかった設定画面Ａに関して設定値の設定変更は行わない。したがって、ステップＳ１４からステップＳ１６に移行する。
【００７６】
ステップＳ１６において、操作パネル１０１は、ジョブの開始指示をユーザーから受け付ける。たとえば、確認画面Ｂに表示された「スタート」というソフトキーＫ７をユーザーが押下する、あるいは、ハードキーとしてのスタートキー１３をユーザーが押下することで、コピーなどのジョブが実行される。なお、このとき、ハードキーとしてのエンターキー１８は、ジョブの開始指示をユーザーから受け付けない。
【００７７】
本実施形態では、上記のように、現時点で表示中の設定画面Ａの表示が全部分の表示に至る前に、現時点で表示中の設定画面Ａからの強制的な表示切り換え指示をエンターキー１８（操作部に相当）が受け付けたとき、記憶部２０は、全部分の表示に至らなかった設定画面Ａを記憶し、表示制御部１９は、複数の設定画面Ａの全てを順次表示した後に、全部分の表示に至らなかった設定画面Ａの情報を記憶部２０から取得し、全部分の表示に至らなかった設定画面Ａでの設定内容の確認を促すための情報を液晶表示部１１（操作表示部に相当）に表示させる。これにより、全部分の表示に至らなかった設定画面Ａが存在したとしても、確実に、複数の設定画面Ａの全てを順次表示した後に（コピーなどのジョブの開始に先立って）、全部分の表示に至らなかった設定画面Ａでの設定内容をユーザーに確認させることができる。このため、ユーザーの意図しない設定内容でジョブが開始されるのを抑制することが可能となる。
【００７８】
また、本実施形態では、上記のように、表示制御部１９は、複数の設定画面Ａの全てを順次表示した後に、全部分の表示に至らなかった設定画面Ａでの設定内容を液晶表示部１１に表示させた上で、全部分の表示に至らなかった設定画面Ａでの設定内容の確認を促すための情報を液晶表示部１１に表示させる。このように構成すれば、容易に、全部分の表示に至らなかった設定画面Ａでの設定内容をユーザーに確認させることができる。
【００７９】
また、本実施形態では、上記のように、表示制御部１９は、複数の設定画面Ａの全てを順次表示した後に、複数の設定画面Ａのそれぞれにおける設定内容を液晶表示部１１に羅列表示させ、全部分の表示に至らなかった設定画面Ａでの設定内容の表示形態を全部分の表示に至った他の設定画面Ａでの設定内容の表示形態とは異ならせることによって、全部分の表示に至らなかった設定画面Ａでの設定内容の確認を促す。このように構成すれば、全部分の表示に至らなかった設定画面Ａでの設定内容の確認をユーザーに確実に促すことができ、加えて、全部分の表示に至った他の設定画面Ａでの設定内容についてもユーザーに再確認させることができる。
【００８０】
この構成において、本実施形態では、表示制御部１９は、全部分の表示に至らなかった設定画面Ａでの設定内容の表示色を全部分の表示に至った他の設定画面Ａでの設定内容の表示色とは異ならせている。このように構成すれば、容易に、全部分の表示に至らなかった設定画面Ａでの設定内容の表示形態を全部分の表示に至った他の設定画面Ａでの設定内容の表示形態とは異ならせることができる。
【００８１】
また、本実施形態では、上記のように、液晶表示部１１は、複数の設定項目の登録をユーザーから受け付け、記憶部２０は、液晶表示部１１が受け付けた複数の設定項目を記憶し、表示制御部１９は、記憶部２０に記憶された複数の設定項目にそれぞれ対応する複数の設定画面Ａを液晶表示部１１に順次切り換えて表示させる。このように構成すれば、ユーザーの所望する設定項目に応じた設定画面Ａのみを液晶表示部１１に表示させることができるので、ユーザーの利便性が向上する。
【００８２】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００８３】
１１  液晶表示部（操作表示部）
１８  エンターキー（操作部）
１９  表示制御部
２０  記憶部
１００  画像形成装置
１０１  操作パネル（表示制御装置）
【図１】
0005481429.tif 000002
【図２】
0005481429.tif 000003
【図３】
0005481429.tif 000004
【図４】
0005481429.tif 000005
【図５】
0005481429.tif 000006
【図６】
0005481429.tif 000007
【図７】
0005481429.tif 000008
【図８】
0005481429.tif 000009
【図９】
0005481429.tif 000010